【手続補正書】
【提出日】平成25年3月7日(2013.3.7)
【手続補正１】
【補正対象書類名】特許請求の範囲
【補正対象項目名】全文
【補正方法】変更
【補正の内容】
【特許請求の範囲】
【請求項１】
送信する送信ＲＦ信号と受信する受信ＲＦ信号の周波数帯域が互いに異なる周波数帯域である移動通信端末用モジュールであって、
前記送信ＲＦ信号が外部に備えたアンテナに向けて出力され前記受信ＲＦ信号が前記外部に備えたアンテナから入力される入出力部と、
前記送信ＲＦ信号が外部の送信ＲＦ回路から供給され該送信ＲＦ信号の周波数帯域の信号を通過させて前記入出力部に供給するＴｘフィルタ、及び前記入出力部から前記受信ＲＦ信号が供給され該受信ＲＦ信号の周波数帯域の信号を通過させて外部の受信ＲＦ回路に供給するＲｘフィルタを有するＤＰＸフィルタと、
前記ＤＰＸフィルタが有するＴｘフィルタの前段から前記送信ＲＦ信号の一部を分岐させ所定の信号処理を行った後に前記ＤＰＸフィルタが有するＲｘフィルタの後段で前記受信ＲＦ信号と合成し該受信ＲＦ信号が含む前記送信ＲＦ信号の漏洩成分をキャンセルする第１のキャンセラ部と、
前記ＤＰＸフィルタが有するＴｘフィルタの前段から前記送信ＲＦ信号の一部を分岐させ所定の信号処理を行った後に前記ＤＰＸフィルタが有するＲｘフィルタの後段で前記受信ＲＦ信号と合成し該受信ＲＦ信号が含む前記受信ＲＦ信号の周波数帯域の熱雑音成分をキャンセルする第２のキャンセラ部
を備えたことを特徴とする移動通信端末用モジュール。
【請求項２】
請求項１に記載の移動通信端末用モジュールにおいて、前記第１のキャンセラ部及び第２のキャンセラ部は、前記ＤＰＸフィルタが有するＴｘフィルタと略等しい周波数特性の第２のＴｘフィルタと、前記ＤＰＸフィルタが有するＲｘフィルタと略等しい周波数特性の第２のＲｘフィルタを備えたことを特徴とする移動通信端末用モジュール。
【請求項３】
送信する送信ＲＦ信号と受信する受信ＲＦ信号の周波数帯域が互いに異なる周波数帯域である移動通信端末用モジュールであって、
前記送信ＲＦ信号が外部に備えたアンテナに向けて出力され前記受信ＲＦ信号が前記外部に備えたアンテナから入力される入出力部と、
前記送信ＲＦ信号が外部の送信ＲＦ回路から供給され該送信ＲＦ信号の周波数帯域の信号を通過させて前記入出力部に供給するＴｘフィルタ、及び前記入出力部から前記受信ＲＦ信号が供給され該受信ＲＦ信号の周波数帯域の信号を通過させて外部の受信ＲＦ回路に供給するＲｘフィルタを有するＤＰＸフィルタと、
前記ＤＰＸフィルタが有するＴｘフィルタの前段から前記送信ＲＦ信号の一部を分岐させ所定の信号処理を行った後に前記ＤＰＸフィルタが有するＲｘフィルタの後段で前記受信ＲＦ信号と合成し該受信ＲＦ信号が含む前記送信ＲＦ信号の漏洩成分をキャンセルし、或いは、前記ＤＰＸフィルタが有するＴｘフィルタの前段から前記送信ＲＦ信号の一部を分岐させ所定の信号処理を行った後に前記ＤＰＸフィルタが有するＲｘフィルタの後段で前記受信ＲＦ信号と合成し該受信ＲＦ信号が含む前記受信ＲＦ信号の周波数帯域の熱雑音成分をキャンセルするキャンセラ部を有し、
該キャンセラ部は、前記ＤＰＸフィルタが有するＴｘフィルタと略等しい周波数特性の第２のＴｘフィルタと、前記ＤＰＸフィルタが有するＲｘフィルタと略等しい周波数特性の第２のＲｘフィルタ
を備えたことを特徴とする移動通信端末用モジュール。
【請求項４】
送信する送信ＲＦ信号と受信する受信ＲＦ信号の周波数帯域が互いに異なる周波数帯域である移動通信端末用モジュールであって、
前記送信ＲＦ信号が外部に備えたアンテナに向けて出力され前記受信ＲＦ信号が前記外部に備えたアンテナから入力される入出力部と、
前記送信ＲＦ信号が外部の送信ＲＦ回路から供給され該送信ＲＦ信号の周波数帯域の信号を通過させて前記入出力部に供給するＴｘフィルタ、及び前記入出力部から前記受信ＲＦ信号が供給され該受信ＲＦ信号の周波数帯域の信号を通過させて外部の受信ＲＦ回路に供給するＲｘフィルタを有するＤＰＸフィルタと、
前記ＤＰＸフィルタが有するＴｘフィルタの前段において前記送信ＲＦ信号の一部を分岐させ所定の信号処理を行った後に前記送信ＲＦ信号と合成し該送信ＲＦ信号が含む該受信ＲＦ信号の周波数帯域の熱雑音成分をキャンセルする第１のキャンセラ部、或いは、前記ＤＰＸフィルタが有するＲｘフィルタの後段において前記受信ＲＦ信号の一部を分岐させ所定の信号処理を行った後に前記受信ＲＦ信号と合成し該受信ＲＦ信号が含む前記送信ＲＦ信号の漏洩成分をキャンセルする第２のキャンセラ部のうち、少なくも一方のキャンセラ部
を有することを特徴とする移動通信端末用モジュール。
【請求項５】
請求項３に記載の移動通信端末用モジュールにおいて、前記キャンセラ部は、前記分岐され所定の信号処理を行った前記送信ＲＦ信号を前記受信ＲＦ信号と合成する合成器を有し、該合成器は、マッチング回路を有し、一つの入力端子に前記分岐され所定の信号処理を行った前記送信ＲＦ信号が供給され、残る一つの入力端子に前記受信ＲＦ信号が供給される差動増幅器であることを特徴とする移動通信端末用モジュール。
【請求項６】
請求項３に記載の移動通信端末用モジュールであって、前記キャンセラ部が有する第２のＲｘフィルタは、前記キャンセラ部が有する第２のＴｘフィルタに対して先行して位置することを特徴とする移動通信端末用モジュール。
【請求項７】
請求項３に記載の移動通信端末用モジュールであって、前記ＤＰＸフィルタは、前記送信ＲＦ信号及び受信ＲＦ信号を通過させる周波数帯域が可変なチューナブルフィルタであることを特徴とする移動通信端末用モジュール。
【請求項８】
送信する送信ＲＦ信号と受信する受信ＲＦ信号の周波数帯域が互いに異なる周波数帯域である移動通信端末であって、
該移動通信端末が有する前記送信ＲＦ信号を送信し受信ＲＦ信号を受信する移動通信端末用モジュールは、
前記送信ＲＦ信号が外部に備えたアンテナに向けて出力され前記受信ＲＦ信号が前記外部に備えたアンテナから入力される入出力部と、
前記送信ＲＦ信号が外部の送信ＲＦ回路から供給され該送信ＲＦ信号の周波数帯域の信号を通過させて前記入出力部に供給するＴｘフィルタ、及び前記入出力部から前記受信ＲＦ信号が供給され該受信ＲＦ信号の周波数帯域の信号を通過させて外部の受信ＲＦ回路に供給するＲｘフィルタを有するＤＰＸフィルタと、
前記ＤＰＸフィルタが有するＴｘフィルタの前段から前記送信ＲＦ信号の一部を分岐させ所定の信号処理を行った後に前記ＤＰＸフィルタが有するＲｘフィルタの後段で前記受信ＲＦ信号と合成し該受信ＲＦ信号が含む前記送信ＲＦ信号の漏洩成分をキャンセルする第１のキャンセラ部と、
前記ＤＰＸフィルタが有するＴｘフィルタの前段から前記送信ＲＦ信号の一部を分岐させ所定の信号処理を行った後に前記ＤＰＸフィルタが有するＲｘフィルタの後段で前記受信ＲＦ信号と合成し該受信ＲＦ信号が含む前記受信ＲＦ信号の周波数帯域の熱雑音成分をキャンセルする第２のキャンセラ部
を備えたことを特徴とする移動通信端末。
【請求項９】
送信する送信ＲＦ信号と受信する受信ＲＦ信号の周波数帯域が互いに異なる周波数帯域である移動通信端末であって、
該移動通信端末が有する前記送信ＲＦ信号を送信し受信ＲＦ信号を受信する移動通信端末用モジュールは、
前記送信ＲＦ信号が外部に備えたアンテナに向けて出力され前記受信ＲＦ信号が前記外部に備えたアンテナから入力される入出力部と、
前記送信ＲＦ信号が外部の送信ＲＦ回路から供給され該送信ＲＦ信号の周波数帯域の信号を通過させて前記入出力部に供給するＴｘフィルタ、及び前記入出力部から前記受信ＲＦ信号が供給され該受信ＲＦ信号の周波数帯域の信号を通過させて外部の受信ＲＦ回路に供給するＲｘフィルタを有するＤＰＸフィルタと、
前記ＤＰＸフィルタが有するＴｘフィルタの前段から前記送信ＲＦ信号の一部を分岐させ所定の信号処理を行った後に前記ＤＰＸフィルタが有するＲｘフィルタの後段で前記受信ＲＦ信号と合成し該受信ＲＦ信号が含む前記送信ＲＦ信号の漏洩成分をキャンセルし、或いは、前記ＤＰＸフィルタが有するＴｘフィルタの前段から前記送信ＲＦ信号の一部を分岐させ所定の信号処理を行った後に前記ＤＰＸフィルタが有するＲｘフィルタの後段で前記受信ＲＦ信号と合成し該受信ＲＦ信号が含む前記受信ＲＦ信号の周波数帯域の熱雑音成分をキャンセルするキャンセラ部を有し、
該キャンセラ部は、前記ＤＰＸフィルタが有するＴｘフィルタと略等しい周波数特性の第２のＴｘフィルタと、前記ＤＰＸフィルタが有するＲｘフィルタと略等しい周波数特性の第２のＲｘフィルタ
を備えたことを特徴とする移動通信端末。
【請求項１０】
送信する送信ＲＦ信号と受信する受信ＲＦ信号の周波数帯域が互いに異なる周波数帯域である移動通信端末であって、
該移動通信端末が有する前記送信ＲＦ信号を送信し受信ＲＦ信号を受信する移動通信端末用モジュールは、
前記送信ＲＦ信号が外部に備えたアンテナに向けて出力され前記受信ＲＦ信号が前記外部に備えたアンテナから入力される入出力部と、
前記送信ＲＦ信号が外部の送信ＲＦ回路から供給され該送信ＲＦ信号の周波数帯域の信号を通過させて前記入出力部に供給するＴｘフィルタ、及び前記入出力部から前記受信ＲＦ信号が供給され該受信ＲＦ信号の周波数帯域の信号を通過させて外部の受信ＲＦ回路に供給するＲｘフィルタを有するＤＰＸフィルタと、
前記ＤＰＸフィルタが有するＴｘフィルタの前段において前記送信ＲＦ信号の一部を分岐させ所定の信号処理を行った後に前記送信ＲＦ信号と合成し該送信ＲＦ信号が含む該受信ＲＦ信号の周波数帯域の熱雑音成分をキャンセルする第１のキャンセラ部、或いは、前記ＤＰＸフィルタが有するＲｘフィルタの後段において前記受信ＲＦ信号の一部を分岐させ所定の信号処理を行った後に前記受信ＲＦ信号と合成し該受信ＲＦ信号が含む前記送信ＲＦ信号の漏洩成分をキャンセルする第２のキャンセラ部のうち、少なくも一方のキャンセラ部
を有することを特徴とする移動通信端末。